(57)【特許請求の範囲】
【請求項１】
複数のアプリがインストールされたスマート端末に適用されるアプリメッセージの表示方法であって、
予め設定された時間間隔で、少なくとも一つのアプリに未読メッセージが存在するかを検出するステップと、
未読メッセージが存在する特定のアプリが検出された場合、所定の順番に従って、それぞれの特定のアプリのアプリメッセージを排列するとともに、それぞれの特定のアプリに対して、同じジャンルに所属する特定のアプリのアプリメッセージを排列する場合に未読メッセージの件数によって排列するステップと、
排列されたそれぞれの特定のアプリのアプリメッセージを特定画面に表示するステップと、を含み、
前記所定の順番に従って、それぞれの特定のアプリのアプリメッセージを排列するステップは、
それぞれの特定のアプリに対して、前記特定のアプリが所属する特定のアプリジャンルを確定するステップと、
予め設置されたアプリジャンルと優先順位との対応関係を検索し、前記特定のアプリジャンルに対応する優先順位を取得するステップと、
それぞれの特定のアプリに対応する優先順位によって、それぞれの特定のアプリのアプリメッセージを排列するステップと、を含み、
前記排列されたそれぞれの特定のアプリのアプリメッセージを特定画面に表示するステップは、
端末が現在スクリーンロックが解除された状態にある時、ユーザーのジェスチャ軌跡を取得するステップと、
前記ユーザーのジェスチャ軌跡が予め設置された特定ジェスチャ軌跡とマッチングされる時、排列されたそれぞれの特定のアプリのアプリメッセージを、所定値の透明度に設定してある特定画面に表示するステップと、を含み、前記特定画面は端末におけるあらゆる画面の最前方に表示されることを特徴とするアプリメッセージの表示方法。
【請求項２】
前記排列されたそれぞれの特定のアプリのアプリメッセージを特定画面に表示するステップは、
端末が現在スクリーンロック状態にある時、ロック中の画面における特定アイコンに対するタップ操作が検出されると、一つのアプリディスプレイウィンドウを作成するステップと、
排列されたそれぞれの特定のアプリのアプリメッセージを前記アプリディスプレイウィンドウに表示させるステップと、を含み、前記アプリディスプレイウィンドウは前記ロック中の画面に位置することを特徴とする請求項１に記載のアプリメッセージの表示方法。
【請求項３】
前記所定の順番に従って、それぞれの特定のアプリのアプリメッセージを排列する前に、前記方法は、
複数のアプリジャンルを設置するステップと、
前記複数のアプリジャンルに優先順位を設置するステップと、を含むことを特徴とする請求項１に記載のアプリメッセージの表示方法。
【請求項４】
前記排列されたそれぞれの特定のアプリのアプリメッセージを特定画面に表示するステップは、
端末に複数のアプリアイコン表示画面が存在する場合、排列されたそれぞれの特定のアプリのアプリメッセージを、最前方のアプリアイコン表示画面に表示するステップ、又は、
前記複数のアプリアイコン表示画面から特定のアプリアイコンの設置領域を一つ選択し、排列されたそれぞれの特定のアプリのアプリメッセージを前記設置領域に表示するステップを含むことを特徴とする請求項１に記載のアプリメッセージの表示方法。
【請求項５】
複数のアプリがインストールされたスマート端末に適用されるアプリメッセージの表示装置であって、
予め設定された時間間隔で、少なくとも一つのアプリに未読メッセージが存在するかを検出する検出モジュールと、
未読メッセージが存在する特定のアプリが検出されると、所定の順番に従って、それぞれの特定のアプリのアプリメッセージを排列するとともに、それぞれの特定のアプリに対して、同じジャンルに所属する特定のアプリのアプリメッセージを排列する場合に未読メッセージの件数によって排列する排列モジュールと、
排列されたそれぞれの特定のアプリのアプリメッセージを特定画面に表示する表示モジュールと、を含み、
前記排列モジュールは、それぞれの特定のアプリに対して、前記特定のアプリが所属する特定のアプリジャンルを確定し、予め設置されたアプリジャンルと優先順位との対応関係を検索し、前記特定のアプリジャンルに対応する優先順位を取得し、それぞれの特定のアプリに対応する優先順位によって、それぞれの特定のアプリのアプリメッセージを排列するように構成し、
前記表示モジュールは、端末が現在スクリーンロックが解除された状態にある時、ユーザーのジェスチャ軌跡を取得し、前記ユーザーのジェスチャ軌跡が予め設置された特定ジェスチャ軌跡とマッチングされる時、排列されたそれぞれの特定のアプリのアプリメッセージを、所定値の透明度に設定してある特定画面に表示するように構成され、前記特定画面は端末におけるあらゆる画面の最前方に表示されることを特徴とするアプリメッセージ表示装置。
【請求項６】
前記表示モジュールは、端末が現在スクリーンロック状態にある時、ロック中の画面における特定アイコンに対するタップ操作が検出されると、一つのアプリディスプレイウィンドウを作成し、排列されたそれぞれの特定のアプリのアプリメッセージを前記アプリディスプレイウィンドウに表示させるように構成され、前記アプリディスプレイウィンドウは前記ロック中の画面に位置することを特徴とする請求項５に記載のアプリメッセージの表示装置。
【請求項７】
前記装置は、
複数のアプリジャンルを設置第１の設置モジュールと、
前記複数のアプリジャンルに優先順位を設置する第２の設置モジュールと、を含むことを特徴とする請求項５に記載のアプリメッセージの表示装置。
【請求項８】
前記表示モジュールは、端末に複数のアプリアイコン表示画面が存在する場合、排列されたそれぞれの特定のアプリのアプリメッセージを、最前方のアプリアイコン表示画面に表示し、又は、前記複数のアプリアイコン表示画面から特定のアプリアイコンの設置領域を一つ選択し、排列されたそれぞれの特定のアプリのアプリメッセージを前記設置領域に表示するように構成されることを特徴とする請求項５に記載のアプリメッセージの表示装置。
【請求項９】
複数のアプリがインストールされたスマート端末であって、
プロセッサーと、
プロセッサーにより実行可能な命令を記憶するメモリと、を備え、
前記プロセッサーは、
予め設定された時間間隔で、少なくとも一つのアプリに未読メッセージが存在するかを検出し、未読メッセージが存在する特定のアプリが検出された場合、所定の順番に従って、それぞれの特定のアプリのアプリメッセージを排列するとともに、それぞれの特定のアプリに対して、同じジャンルに所属する特定のアプリのアプリメッセージを排列する場合に未読メッセージの件数によって排列し、排列されたそれぞれの特定のアプリのアプリメッセージを特定画面に表示し、
前記所定の順番に従って、それぞれの特定のアプリのアプリメッセージを排列することは、
それぞれの特定のアプリに対して、前記特定のアプリが所属する特定のアプリジャンルを確定することと、
予め設置されたアプリジャンルと優先順位との対応関係を検索し、前記特定のアプリジャンルに対応する優先順位を取得することと、
それぞれの特定のアプリに対応する優先順位によって、それぞれの特定のアプリのアプリメッセージを排列することと、を含み、
前記排列されたそれぞれの特定のアプリのアプリメッセージを特定画面に表示することは、
端末が現在スクリーンロックが解除された状態にある時、ユーザーのジェスチャ軌跡を取得することと、
前記ユーザーのジェスチャ軌跡が予め設置された特定ジェスチャ軌跡とマッチングされる時、排列されたそれぞれの特定のアプリのアプリメッセージを、所定値の透明度に設定してある特定画面に表示することと、を含み、前記特定画面は端末におけるあらゆる画面の最前方に表示されることを特徴とするスマート端末。
【請求項１０】
プロセッサに実行されることにより、請求項１〜４のいずれか１項に記載のアプリメッセージの表示方法を実現することを特徴とするプログラム。
【請求項１１】
請求項１０に記載のプログラムが記録された記録媒体。
【発明の詳細な説明】
【技術分野】
【０００１】
本発明は、情報処理技術分野に関し、特に、アプリメッセージの表示方法、装置、端末、プログラム及び記録媒体に関する。
【背景技術】
【０００２】
スマート端末の普及につれて、様々なアプリが絶えずに出られている。スマート端末におけるアプリは、新しい未読メッセージを発生すると、アプリアイコンのバッジに未読メッセージの件数が表示され、ユーザーにお知らせする。然るに、スマート端末に複数のアプリがインストールされ、アプリのメッセージの更新速度も速いので、しばらくの間に、新着メッセージのお知らせを有するアプリが複数存在する可能性がある。また、新着メッセージのお知らせを有する各アプリアイコンは依然として最初の位置に表示される。そして、新着メッセージのお知らせを有する各アプリアイコンは、常に複数の異なる画面のアプリアイコン表示画面に分布される。よって、ユーザーが各アプリに新着メッセージお知らせが存在するかを確認する場合、ユーザーは全てのアプリアイコン表示画面をチェックしなければならない。そのため、ユーザーが速やかに新着メッセージがあるアプリを確認するアプリメッセージの表示方法が必要になる。
【発明の概要】
【発明が解決しようとする課題】
【０００３】
本発明は、従来技術に存在する問題を克服するために、アプリメッセージの表示方法、装置、端末、プログラム及び記録媒体を提供する。
【課題を解決するための手段】
【０００４】
本発明の第１の態様によって、アプリメッセージの表示方法が提供され、前記方法は、
予め設定された時間間隔で、少なくとも一つのアプリに未読メッセージが存在するかを検出するステップと、
未読メッセージが存在する特定のアプリが検出された場合、所定の順番に従って、それぞれの特定のアプリのアプリメッセージを排列するステップと、
排列されたそれぞれの特定のアプリのアプリメッセージを特定画面に表示するステップと、を含む。
【０００５】
好ましくは、前記所定の順番に従って、それぞれの特定のアプリのアプリメッセージを排列するステップは、
それぞれの特定のアプリに対して、前記特定のアプリが所属する特定のアプリジャンルを確定するステップと、
予め設置されたアプリジャンルと優先順位との対応関係を検索し、前記特定のアプリジャンルに対応する優先順位を取得するステップと、
それぞれの特定のアプリに対応する優先順位によって、それぞれの特定のアプリのアプリメッセージを排列するステップと、を含む。
【０００６】
好ましくは、前記排列されたそれぞれの特定のアプリのアプリメッセージを特定画面に表示するステップは、
端末が現在スクリーンロックが解除された状態にある時、ユーザーのジェスチャ軌跡を取得するステップと、
前記ユーザーのジェスチャ軌跡が予め設置された特定ジェスチャ軌跡とマッチングされる時、排列されたそれぞれの特定のアプリのアプリメッセージを、透明度が所定の閾値である特定画面に表示するステップと、を含み、前記特定画面は端末におけるあらゆる画面の最前方に表示される。
【０００７】
好ましくは、前記排列されたそれぞれの特定のアプリのアプリメッセージを特定画面に表示するステップは、
端末が現在スクリーンロック状態にある時、ロック中の画面における特定アイコンに対するタップ操作が検出されると、一つのアプリディスプレイウィンドウを作成するステップと、
排列されたそれぞれの特定のアプリのアプリメッセージを前記アプリディスプレイウィンドウに表示させるステップと、を含み、前記アプリディスプレイウィンドウは前記ロック中の画面に位置する。
【０００８】
好ましくは、前記所定の順番に従って、それぞれの特定のアプリのアプリメッセージを排列する前に、前記方法は、
複数のアプリジャンルを設置するステップと、
前記複数のアプリジャンルに優先順位を設置するステップと、を含む。
【０００９】
好ましくは、前記排列されたそれぞれの特定のアプリのアプリメッセージを特定画面に表示するステップは、
端末に複数のアプリアイコン表示画面が存在する場合、排列されたそれぞれの特定のアプリのアプリメッセージを、最前方のアプリアイコン表示画面に表示するステップ、又は、
前記複数のアプリアイコン表示画面から特定のアプリアイコンの放置領域を一つ選択し、排列されたそれぞれの特定のアプリのアプリメッセージを前記放置領域に表示するステップを含む。
【００１０】
本発明の第２の態様によって、アプリメッセージの表示装置が提供され、前記装置は、
予め設定された時間間隔で、少なくとも一つのアプリに未読メッセージが存在するかを検出する検出モジュールと、
未読メッセージが存在する特定のアプリが検出されると、所定の順番に従って、それぞれの特定のアプリのアプリメッセージを排列する排列モジュールと、
排列されたそれぞれの特定のアプリのアプリメッセージを特定画面に表示する表示モジュールと、を含む。
【００１１】
好ましくは、前記排列モジュールは、それぞれの特定のアプリに対して、前記特定のアプリが所属する特定のアプリジャンルを確定し、予め設置されたアプリジャンルと優先順位との対応関係を検索し、前記特定のアプリジャンルに対応する優先順位を取得し、それぞれの特定のアプリに対応する優先順位によって、それぞれの特定のアプリのアプリメッセージを排列するように構成される。
【００１２】
好ましくは、前記表示モジュールは、端末が現在スクリーンロックが解除された状態にある時、ユーザーのジェスチャ軌跡を取得し、前記ユーザーのジェスチャ軌跡が予め設置された特定ジェスチャ軌跡とマッチングされる時、排列されたそれぞれの特定のアプリのアプリメッセージを、透明度が所定の閾値である特定画面に表示するように構成され、前記特定画面は端末におけるあらゆる画面の最前方に表示される。
【００１３】
好ましくは、前記表示モジュールは、端末が現在スクリーンロック状態にある時、ロック中の画面における特定アイコンに対するタップ操作が検出されると、一つのアプリディスプレイウィンドウを作成し、排列されたそれぞれの特定のアプリのアプリメッセージを前記アプリディスプレイウィンドウに表示させるように構成され、前記アプリディスプレイウィンドウは前記ロック中の画面に位置する。
【００１４】
好ましくは、前記装置は、
複数のアプリジャンルを設置第１の設置モジュールと、
前記複数のアプリジャンルに優先順位を設置する第２の設置モジュールと、を含む。
【００１５】
好ましくは、前記表示モジュールは、端末に複数のアプリアイコン表示画面が存在する場合、排列されたそれぞれの特定のアプリのアプリメッセージを、最前方のアプリアイコン表示画面に表示し、又は、前記複数のアプリアイコン表示画面から特定のアプリアイコンの放置領域を一つ選択し、排列されたそれぞれの特定のアプリのアプリメッセージを前記放置領域に表示するように構成される。
【００１６】
本発明の第３の態様によって、端末が提供され、前記端末は、
プロセッサーと、
プロセッサーにより実行可能な命令を記憶するメモリと、を備え、
前記プロセッサーは、
予め設定された時間間隔で、少なくとも一つのアプリに未読メッセージが存在するかを検出し、未読メッセージが存在する特定のアプリが検出された場合、所定の順番に従って、それぞれの特定のアプリのアプリメッセージを排列し、排列されたそれぞれの特定のアプリのアプリメッセージを特定画面に表示する。
【００１７】
本発明の第４の態様によって、プログラムが提供され、前記プログラムは、
プロセッサに実行されることにより、上記のアプリメッセージの表示方法を実現する。
【００１８】
本発明の第５の態様によって、記録媒体が提供され、前記記録媒体は、
前記プログラムが記録される。
【発明の効果】
【００１９】
本発明の実施例が提供する技術案に以下の効果が含む。即ち、
端末が予め設定された時間間隔で、少なくとも一つのアプリに未読メッセージが存在するかを検出し、未読メッセージが存在する特定のアプリが検出された場合、所定の順番に従って、それぞれの特定のアプリのアプリメッセージを排列し、排列されたそれぞれの特定のアプリのアプリメッセージを特定画面に表示する。所定の順番に従って、未読メッセージが存在するアプリのアプリメッセージを排列し、あらゆるアプリメッセージを特定画面に一括して表示できるため、このようなアプリメッセージ表示方式はスマート的であり、ユーザーは未読メッセージのお知らせを有するアプリを容易にチェックすることができ、手間を取らない。
【００２０】
なお、前記一般的な記載及び後述の詳細な記載はただ例示的であって解釈的な記載であり、本発明を限定しない。
【００２１】
以下の図面は明細書に合併され、本明細書の一部を構成し、本開示に合致する実施例を示し、明細書と共に本開示の原理を説明する。
【図面の簡単な説明】
【００２２】
【図１】一例示的実施例に係るアプリメッセージの表示方法のフローチャートである。
【図２】一例示的実施例に係るアプリメッセージの表示方法のフローチャートである。
【図３】一例示的実施例に係る第１種のアイコン表示の模式図である。
【図４】一例示的実施例に係る第２種のアイコン表示の模式図である。
【図５】一例示的実施例に係る第１種のアプリメッセージ表示装置のブロック図である。
【図６】一例示的実施例に係る第２種のアプリメッセージ表示装置のブロック図である。
【図７】一例示的実施例に係る端末のブロック図である。
【発明を実施するための形態】
【００２３】
以下、例示的実施例に対して詳細に説明する。その例示は図面に表示される。以下の記載が図面に関わる場合、別途説明がない場合、異なる図面における同じ数字は、同じまたは類似する要素を表示する。以下の例示的実施例に記載された実施形態は、本発明と一致する全ての実施形態を代表しない。逆に、これらはただ特許請求の範囲に詳細に記載された、本発明の一部と一致する装置及び方法の例に過ぎない。
【００２４】
本発明の実施例に対して詳細な説明を行う前に、先ず、本文に関る専門用語に対して説明する。ここで、「少なくとも一つのアプリに未読メッセージが存在するかを検出する」における「少なくとも一つのアプリ」とは、端末にインストールされた全てのアプリであってもよく、ユーザーが選択した、端末にインストールされた一部のアプリであってもよく、ユーザーの使用頻度の高い一部のアプリなどであってもよい。本発明の実施例では、これに対して具体的に限定しない。「アプリメッセージ」とは、バッジ付きのアプリアイコン、未読メッセージの全ての内容又は主要内容、未読メッセージの件数（例えば、ＸＸアプリに未読メッセージが２件届いている）などであってよい。本発明の実施例はこれに対しても具体的に限定しない。
【００２５】
図１は一例示的実施例に係るアプリメッセージの表示方法のフローチャートである。図１に示されたように、該アプリメッセージの表示方法は端末に応用され、以下のステップを含む。
【００２６】
ステップ１０１：予め設定された時間間隔で、少なくとも一つのアプリに未読メッセージが存在するかを検出する。
【００２７】
ステップ１０２：未読メッセージが存在する特定のアプリが検出された場合、所定の順番に従って、それぞれの特定のアプリのアプリメッセージを排列する。
【００２８】
ステップ１０３：排列されたそれぞれの特定のアプリのアプリメッセージを特定画面に表示する。
【００２９】
本発明の実施例に提供された方法は、端末が予め設定された時間間隔で、少なくとも一つのアプリに未読メッセージが存在するかを検出し、未読メッセージが存在する特定のアプリが検出された場合、所定の順番に従って、それぞれの特定のアプリのアプリメッセージを排列し、排列されたそれぞれの特定のアプリのアプリメッセージを特定画面に表示する。所定の順番に従って未読メッセージが存在するアプリのアプリメッセージを排列し、未読メッセージが存在するあらゆるアプリのアプリメッセージを特定画面に一括して表示するため、このようなアプリメッセージ表示方式はスマート的であり、ユーザーが未読メッセージのお知らせを有するアプリを容易にチェックすることができ、手間を取らない。
【００３０】
好ましくは、所定の順番に従って、それぞれの特定のアプリのアプリメッセージを排列するステップは、
それぞれの特定のアプリに対して、特定のアプリが所属する特定のアプリジャンルを確定するステップと、
予め設置されたアプリジャンルと優先順位との対応関係を検索し、特定のアプリジャンルに対応する優先順位を取得するステップと、
それぞれの特定のアプリに対応する優先順位によって、それぞれの特定のアプリのアプリメッセージを排列するステップと、を含む。
【００３１】
好ましくは、排列されたそれぞれの特定のアプリのアプリメッセージを特定画面に表示するステップは、
端末が現在スクリーンロックが解除された状態にある時、ユーザーのジェスチャ軌跡を取得するステップと、
ユーザーのジェスチャ軌跡が予め設置された特定ジェスチャ軌跡とマッチングされる時、排列されたそれぞれの特定のアプリのアプリメッセージを、透明度が所定の閾値である特定画面に表示するステップと、を含み、特定画面は端末におけるあらゆる画面の最前方に表示される。
【００３２】
好ましくは、排列されたそれぞれの特定のアプリのアプリメッセージを特定画面に表示するステップは、
端末が現在スクリーンロック状態にある時、ロック中の画面における特定アイコンに対するタップ操作が検出されると、一つのアプリディスプレイウィンドウを作成するステップと、
排列されたそれぞれの特定のアプリのアプリメッセージをアプリディスプレイウィンドウに表示させ、アプリディスプレイウィンドウはロック中の画面に位置するステップと、を含む。
【００３３】
好ましくは、所定の順番に従ってそれぞれの特定のアプリのアプリメッセージを排列する前に、該方法は、
複数のアプリジャンルを設置するステップと、
複数のアプリジャンルに優先順位を設置するステップと、を含む。
【００３４】
好ましくは、排列されたそれぞれの特定のアプリのアプリメッセージを特定画面に表示するステップは、
端末に複数のアプリアイコン表示画面が存在する場合、排列されたそれぞれの特定のアプリのアプリメッセージを、最前方のアプリアイコン表示画面に表示するステップ、又は、
複数のアプリアイコン表示画面から特定のアプリアイコンの放置領域を一つ選んで、排列されたそれぞれの特定のアプリのアプリメッセージを放置領域に表示するステップを含む。
【００３５】
上記選択可能な技術案のすべては、任意の組合せにより本発明の選択可能な実施例を構成してよいが、ここでその説明を繰り返さない。
【００３６】
図２は一例示的実施例に係るアプリメッセージの表示方法のフローチャートであり、図１に示されたように、該アプリメッセージの表示方法は端末に応用され、以下のステップを含む。
【００３７】
ステップ２０１：予め設定された時間間隔で、少なくとも一つのアプリに未読メッセージが存在するかを検出する。
【００３８】
本発明の実施例において、予め設定された時間は１５分又は３０分などであってもよいが、本発明の実施例では、予め設定された時間の長さに対して具体的に限定しない。少なくとも一つのアプリは、一般的には、プッシュ通知（ｐｕｓｈ）機能を有するため、端末は様々なアプリのプッシュメッセージ又は通知メッセージを受信し、一般的に、アプリアイコンのバッジに未読メッセージの件数が標記されてユーザーにお知らせする。また、ユーザーが適時少なくとも一つのアプリに未読メッセージが存在するが容易に確認するために、本発明の実施例における端末は、予め設定された時間間隔で少なくとも一つのアプリに未読メッセージが存在するかを検出する。一般的には、端末はメッセージに対して既読状態か未読状態かを標記するため、端末が少なくとも一つのアプリに未読メッセージが存在するかを検出する時、メッセージ状態により判断可能である。あるアプリにおけるあるメッセージが未読状態であれば、該メッセージを未読メッセージと確定する。なお、前記検出方式の他にも、他の検出方式を採用してもよいが、本発明の実施例では、これに対して具体的に限定しない。
【００３９】
ステップ２０２：複数のアプリジャンルを設置するステップと、複数のアプリジャンルに優先順位を設置する。
【００４０】
本発明の実施例に提供される方法は、後続過程において、未読メッセージが存在するアプリアイコンを順序に排列するために、複数のアプリジャンルを設置するステップと、複数のアプリジャンルに優先順位を設置するステップと、をさらに含む。
【００４１】
ここで、アプリジャンルは、インスタントメッセージ、ニュース情報、エンタメゲームなどに分けられ、本発明の実施例は、これに対して具体的に限定しない。以下の表１を参照して分かるように、各アプリジャンルに優先順位を設置する時、インスタントメッセージアプリの優先順位を最高に、ニュース情報アプリの優先順位を次に、エンタメゲームアプリの優先順位を最低に設置する。なお、前記優先順位の設置方式以外に、他の設置方式を採用してもよい。本発明の実施例は、これに対しても具体的に限定しない。
【００４２】
【表１】
0006439038.tif 000002
【００４３】
アプリジャンルと、アプリジャンルに対応する優先順位を設置した後、アプリジャンルによって各未読メッセージが存在するアプリを分類し、且つ、優先順位及び分類の結果によって、各未読メッセージが存在するアプリのアプリメッセージを排列することができ、優先順位の高いアプリのアプリメッセージを手前の位置に排列し、優先順位の低いアプリのアプリメッセージを奥の位置に排列する。詳細なステップは下記ステップ２０３の通りである。
【００４４】
ステップ２０３：未読メッセージが存在する特定のアプリが検出された場合、所定の順番に従って、それぞれの特定のアプリのアプリメッセージを排列する。  
【００４５】
本発明の実施例において、未読メッセージが存在する複数の特定のアプリを取得した後、前記設置されたアプリジャンル及び優先順位によってそれぞれの特定のアプリのアプリメッセージを排列することができる。実施形態は以下の通りである。
【００４６】
それぞれの特定のアプリに対して、特定のアプリが所属する特定のアプリジャンルを確定し、予め設置されたアプリジャンルと優先順位との対応関係を検索し、特定のアプリジャンルに対応する優先順位を取得し、それぞれの特定のアプリに対応する優先順位によって、それぞれの特定のアプリのアプリメッセージを排列する。
【００４７】
ここで、インスタントメッセージアプリは、チャットアプリ、情報交換アプリなどが含まれてもよい。ニュース情報アプリは、各種のニュースアプリ、ウェイボーなどが含まれてもよい。エンタメゲームアプリは、各種のプレイヤー系アプリ、ゲームアプリなどが含まれてもよい。端末の場合、それぞれのアプリジャンルにおける各アプリの名称、アイコンを予め記憶し、又は該アプリジャンルが実現する機能を記録してよいため、未読メッセージが存在する一つの特定のアプリに対して、端末は該特定のアプリの名称、アイコン又は実現する機能によって、該特定のアプリが所属するアプリジャンルを自動的に確定することができる。各特定のアプリが所属するアプリジャンルを確定した後、前記表１に記載されたアプリジャンルと優先順位との対応関係を検索して、各特定のアプリの優先順位を取得し、それぞれの特定のアプリの優先順位によって、それぞれの特定のアプリのアプリメッセージを排列することを実現する。
【００４８】
なお、アプリメッセージ排列を行う時、インスタントメッセージジャンルに所属する特定のアプリのアプリメッセージを最手前の位置に、ニュース情報ジャンルに所属する特定のアプリのアプリメッセージをその次に、エンタメゲームジャンルに所属する特定のアプリのアプリメッセージをニュース情報アプリの次に排列する。同じジャンルに所属する特定のアプリのアプリメッセージを排列する時、ランダムに排列可能であり、未読メッセージの件数によって排列してもよいが、本発明の実施例では、これに対しても具体的に限定しない。例えば、未読メッセージ件数の多い特定のアプリが未読メッセージ件数の少ない特定のアプリの前の位置に排列される。
【００４９】
また、本発明の実施例では、インスタントメッセージジャンル、ニュース情報ジャンル及びエンタメゲームジャンルだけを例として説明したが、前記アプリジャンルの他に、例えばシステムセキュリティジャンルなどの他のアプリジャンルが含まれてもよい。端末に前記三つのアプリジャンル以外のアプリジャンルが含まれた場合、処理方式は前記方式に類似し、それぞれのアプリジャンルに優先順位を設置し、優先順位の順番に従って未読メッセージが存在する特定のアプリのアプリメッセージを排列する必要がある。本発明の実施例はこれに対して贅言しない。
【００５０】
ステップ２０４：排列されたそれぞれの特定のアプリのアプリメッセージを特定画面に表示する。
【００５１】
本発明の実施例において、端末がスクリーンロックが解除された状態にある場合とスクリーンがロックされる状態にある場合に、それぞれ異なるアプリメッセージ表示方式が採用される。端末がスクリーンロックが解除された状態にある場合、下記方式によって、排列されたそれぞれの特定のアプリのアプリメッセージを特定画面に表示する。即ち、
ユーザーのジェスチャ軌跡を取得し、ユーザーのジェスチャ軌跡が予め設置された特定ジェスチャ軌跡とマッチングされる場合、排列されたそれぞれの特定のアプリのアプリメッセージを、透明度が所定の閾値である特定画面に表示する。
【００５２】
ここで、図３を参照すると、該特定画面は端末におけるあらゆる画面の最前方に表示する。該特定画面の透明度は１００%、５０%又は２０%などであってよいが、本発明の実施例は、これに対して具体的に限定しない。特定ジェスチャ軌跡は、二本の指を同時一方向にスライドするジェスチャ軌跡であってよく、本発明の実施例では、これに対しても具体的に限定しない。
【００５３】
スクリーンロックが解除された状態で、取得したユーザーのジェスチャ軌跡が予め設置された特定ジェスチャ軌跡とマッチングされる時、未読メッセージが存在する特定のアプリのアプリメッセージの表示をトリガーする。アプリメッセージをアイコンとすることを例として、特定のアプリのアイコン表示を行う時、図３に示された方式によって表示してもよい。図３において、特定画面は未読メッセージが存在する特定のアプリアイコンのみを表示し、少なくとも一つのアプリアイコンのバッジに未読メッセージの件数が標記される。未読メッセージが存在する特定のアプリが複数存在する可能性があるため、図３に示された現在の特定画面にアイコンが全部表示することができなくなってしまう。この時、指のスライド操作を介して、残った部分のアイコンをトリガーして現在の特定画面に表示させる。
【００５４】
なお、スクリーンロックが解除された状態で、ユーザーのジェスチャ軌跡によって未読メッセージが存在する特定のアプリのアイコンを表示するかを確定する方式の他に、特定アイコンに対するタップ操作によってアイコン表示をトリガーしてもよいが、本発明の実施例は、これに対して具体的に限定しない。例えば、端末は未読メッセージが存在するアプリアイコンを専用的にトリガーして表示する特定アイコンを一つ予め設置する。該特定アイコンがタップされると、端末は排列されたそれぞれの特定のアプリを特定画面に表示する。
【００５５】
端末が現在スクリーンロック状態にある時、後述の方式によって、排列されたそれぞれの特定のアプリのアプリメッセージを特定画面に表示する。即ち、
ロック中の画面における特定アイコンに対するタップ操作が検出されると、一つのアプリディスプレイウィンドウを作成し、排列されたそれぞれの特定のアプリのアプリメッセージをアプリディスプレイウィンドウに表示させ、アプリディスプレイウィンドウはロック中の画面に位置する。
【００５６】
アプリメッセージをアイコンとすることを例として、図４を参照すると、ロック中の画面に一つのアプリディスプレイウィンドウが表示され、該アプリディスプレイウィンドウは、ロック中の画面における特定アイコンに対するタップ操作が検出される時に作成され、該アプリディスプレイウィンドウに未読メッセージが存在する複数の特定のアプリアイコンが排列される。ここで、特定アイコンは前記特定ジェスチャであり、ユーザーのジェスチャ軌跡が予め設置された特定ジェスチャ軌跡とマッチングされる時、排列されたそれぞれの特定のアプリのアイコンをアプリディスプレイウィンドウに表示させてもよいが、本発明の実施例は、これに対して具体的に限定しない。
【００５７】
もう一つの実施例において、未読メッセージが存在する特定のアプリを検出した後、全ての特定のアプリのアプリメッセージをランダムに排列した後、又は前記ステップ２０３に示された方式によって排列した後、端末に複数のアプリアイコン表示画面が存在する場合、排列されたそれぞれの特定のアプリのアプリメッセージを最前方のアプリアイコン表示画面に表示させる。例えば、すべてが第１の画面であるアプリアイコン表示画面に表示させる。又は、複数の画面のアプリアイコン表示画面から特定のアプリアイコンの放置領域を一つ選択し、排列されたそれぞれの特定のアプリのアプリメッセージを該放置領域に表示させ、ユーザーが容易に一括チェックすることができる。なお、アプリメッセージ表示を行う時、上記方式中の何れか1種を採用してもよいが、本発明の実施例は、これに対して具体的に限定しない。
【００５８】
本発明の実施例に提供された方法は、端末は予め設定された時間間隔で、少なくとも一つのアプリに未読メッセージが存在するかを検出し、未読メッセージが存在する特定のアプリが検出された場合、所定の順番に従って、それぞれの特定のアプリのアプリメッセージを排列し、排列されたそれぞれの特定のアプリのアプリメッセージを特定画面に表示する。所定の順番に従って、未読メッセージが存在するアプリのアプリメッセージを排列し、あらゆるアプリメッセージを特定画面に一括して表示できるため、このようなアプリメッセージ表示方式はスマート的であり、ユーザーが新着メッセージのお知らせを有するアプリを容易にチェックすることができ、手間を取らず、ユーザーがあらゆるアプリアイコン表示画面をチェックする必要がなくなり、ユーザーの体験性が高い。
【００５９】
図５は一例示的実施例に係る第１種のアプリメッセージ表示装置のブロック図である。図５を参照すると、該装置は、検出モジュール５０１、排列モジュール５０２及び表示モジュール５０３を含む。
【００６０】
ここで、検出モジュール５０１は排列モジュール５０２に接続し、予め設定された時間間隔で、少なくとも一つのアプリに未読メッセージが存在するかを検出する。排列モジュール５０２は表示モジュール５０３に接続し、未読メッセージが存在する特定のアプリが検出された場合、所定の順番に従って、それぞれの特定のアプリのアプリメッセージを排列する。表示モジュール５０３は排列されたそれぞれの特定のアプリのアプリメッセージを特定画面に表示する。
【００６１】
好ましくは、排列モジュールは、それぞれの特定のアプリに対して、特定のアプリが所属する特定のアプリジャンルを確定し、予め設置されたアプリジャンルと優先順位との対応関係を検索し、特定のアプリジャンルに対応する優先順位を取得し、それぞれの特定のアプリに対応する優先順位によって、それぞれの特定のアプリのアプリメッセージを排列する。
【００６２】
好ましくは、表示モジュールは、端末が現在スクリーンロックが解除された状態にある時、ユーザーのジェスチャ軌跡を取得し、ユーザーのジェスチャ軌跡が予め設置された特定ジェスチャ軌跡とマッチングされる時、排列されたそれぞれの特定のアプリのアプリメッセージを、透明度が所定の閾値である特定画面に表示し、特定画面は端末におけるあらゆる画面の最前方に表示する。
【００６３】
好ましくは、表示モジュールは、端末が現在スクリーンロック状態にある時、ロック中の画面における特定アイコンに対するタップ操作が検出されると、一つのアプリディスプレイウィンドウを作成するステップと、排列されたそれぞれの特定のアプリのアプリメッセージを前記アプリディスプレイウィンドウに表示させ、前記アプリディスプレイウィンドウは前記ロック中の画面に位置する。
【００６４】
図６を参照すると、該装置は、
複数のアプリジャンルを設置するための第１の設置モジュール５０４と、
前記複数のアプリジャンルに優先順位を設置するための第２の設置モジュール５０５とを含む。
【００６５】
好ましくは、表示モジュールは、端末に複数のアプリアイコン表示画面が存在する場合、排列されたそれぞれの特定のアプリのアプリメッセージを、最前方のアプリアイコン表示画面に表示し、又は、複数のアプリアイコン表示画面から特定のアプリアイコンの放置領域を一つ選択し、排列されたそれぞれの特定のアプリのアプリメッセージを放置領域に表示する。
【００６６】
本発明の実施例に提供された装置は、予め設定された時間間隔で、少なくとも一つのアプリに未読メッセージが存在するかを検出し、未読メッセージが存在する特定のアプリが検出された場合、所定の順番に従って、それぞれの特定のアプリのアプリメッセージを排列し、排列されたそれぞれの特定のアプリのアプリメッセージを特定画面に表示する。所定の順番に従って、未読メッセージが存在するアプリのアプリメッセージを排列し、あらゆるアプリメッセージを特定画面に一括して表示できるため、このようなアプリメッセージ表示方式はスマート的であり、ユーザーが未読メッセージのお知らせを有するアプリを容易にチェックすることができ、手間を取らず、ユーザーがあらゆるアプリアイコン表示画面をチェックする必要がなくなり、ユーザーの体験性が高い。
【００６７】
前記実施例における装置の場合、その各モジュールが操作を実行する具体的な方式は既に該方法に関する実施例において詳細に記載したので、ここでは詳細な説明を省略する。
【００６８】
図７は一例示的実施例に係るアプリメッセージを表示する端末７００のブロック図である。例えば、端末７００は、携帯電話、コンピュータ、デジタル放送端末、メッセージ送受信機、ゲーム機、タブレットデバイス、医療機器、フィットネス機器、ＰＤＡ等のものであってもよい。
【００６９】
図７を参照すると、端末７００は、処理ユニット７０２、メモリ７０４、電源ユニット７０６、マルチメディアユニット７０８、オーディオユニット７１０、入力／出力（Ｉ／Ｏ）インタフェース７１２、センサユニット７１４及び通信ユニット７１６からなる群から選ばれる少なくとも１つを備えてもよい。
【００７０】
処理ユニット７０２は、一般的には、装置７００の全体の操作、例えば、表示、電話呼び出し、データ通信、カメラ操作及び記録操作に関連する操作を制御する。処理ユニット７０２は、上述した方法におけるステップの一部又は全部を実現できるように、命令を実行する少なくとも１つのプロセッサ７２０を備えてもよい。また、処理ユニット７０２は、他のユニットとのインタラクションを便利にさせるように、少なくとも１つのモジュールを備えてもよい。例えば、処理ユニット７０２は、マルチメディアユニット７０８とのインタラクションを便利にさせるように、マルチメディアモジュールを備えてもよい。
【００７１】
メモリ７０４は、装置７００での操作をサポートするように、各種のデータを記憶するように配置される。これらのデータは、例えば、装置７００で何れのアプリケーション又は方法を操作するための命令、連絡先データ、電話帳データ、メッセージ、画像、ビデオ等を備える。メモリ７０４は、何れの種類の揮発性又は不揮発性メモリ、例えば、ＳＲＡＭ（ＳｔａｔｉｃＲａｎｄｏｍ Ａｃｃｅｓｓ Ｍｅｍｏｒｙ）、ＥＥＰＲＯＭ（ＥｌｅｃｔｒｉｃａｌｌｙＥｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ＰｒｏｇｒａｍｍａｂｌｅＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
【００７２】
電源ユニット７０６は、装置７００の各種ユニットに電力を供給するためのものであり、電源管理システム、１つ又は複数の電源、及び装置７００のために電力を生成、管理及び分配することに関連する他のユニットを備えてもよい。
【００７３】
マルチメディアユニット７０８は、装置７００とユーザーの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット７０８は、フロントカメラ及び／又はバックカメラを有してもよい。装置７００が、例えば、撮影モードやビデオモードような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。  
【００７４】
オーディオユニット７１０は、オーディオ信号を出力及び／又は入力するように配置される。例えば、オーディオユニット７１０は、マイクロフォン（ＭＩＣ：Ｍｉｃｒｏｐｈｏｎｅ）を有してもよい。装置７００が、例えば、呼び出しモード、記録モード、又は音声認識モードような操作モードにあるとき、マイクロフォンは、外部のオーディオ信号を受信するように配置される。受信したオーディオ信号は、メモリ７０４にさらに記憶されてもよいし、通信ユニット７１６を介して送信されてもよい。一実施例では、オーディオユニット７１０は、オーディオ信号を出力するためのスピーカをさらに備えてもよい。
【００７５】
Ｉ／Ｏインターフェース７１２は、処理ユニット７０２と外部のインターフェースモジュールの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【００７６】
センサーユニット７１４は、装置７００のために各方面の状態を評価する少なくとも１つのセンサーを備えてもよい。例えば、センサーユニット７１４は、装置７００のオン／オフ状態や、ユニットの相対的な位置を検出することができる。例えば、前記ユニットが装置７００のディスプレイ及びキーパッドである。センサーユニット７１４は、装置７００又は装置７００の１つのユニットの位置の変化や、ユーザーが装置７００に接触しているか否かや、装置７００の方向又は加速／減速や、装置７００の温度変化を検出することができる。センサーユニット７１４は、何れの物理的な接触もない場合に付近の物体を検出するように配置される近接センサーを有してもよい。センサーユニット７１４は、結像応用に用いるための光センサー、例えば、ＣＭＯＳ又はＣＣＤ画像センサーを有してもよい。一実施例では、該センサーユニット７１４は、加速度センサー、ジャイロスコープセンサー、磁気センサー、圧力センサー又は温度センサーをさらに備えてもよい。  
【００７７】
通信ユニット７１６は、装置７００と他の設備の間の無線又は有線通信を便利にさせるように配置される。装置７００は、通信標準に基づく無線ネットワーク、例えば、ＷｉＦｉや、２Ｇや、３Ｇ、又はそれらの組み合わせにアクセスできる。１つの例示的な実施例では、通信ユニット７１６は、放送チャンネルを介して外部の放送管理システムからの放送信号又は放送に関する情報を受信する。１つの例示的な実施例では、前記通信ユニット７１６は、近距離通信を促進するために近距離無線通信（ＮＦＣ）モジュールをさらに備えてもよい。例えば、ＮＦＣモジュールは、無線周波数認識装置（ＲＦＩＤ：ＲａｄｉｏＦｒｅｑｕｅｎｃｙ ＩＤｅｎｔｉｆｉｃａｔｉｏｎ）技術、赤外線データ協会（ＩｒＤＡ：ＩｎｆｒａｒｅｄＤａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（ＢＴ：Ｂｌｕｅｔｏｏｔｈ）技術及び他の技術によって実現されてもよい。
【００７８】
例示的な実施例では、装置７００は、上述した方法を実行するために、１つ又は複数の特定用途向け集積回路（ＡＳIＣ：ＡｐｐｌｉｃａｔｉｏｎＳｐｅｃｉｆｉｃ Ｉｎｔｅｇｒａｔｅｄ Ｃｉｒｃｕｉｔ）、デジタル信号プロセッサー（ＤＳＰ：ＤｉｇｉｔａｌＳｉｇｎａｌ Ｐｒｏｃｅｓｓｏｒ）、数字信号処理ディバイス（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理デバイス（ＰＬＤ：ＰｒｏｇｒａｍｍａｂｌｅＬｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【００７９】
例示的な実施例では、命令を有する非一時的コンピュータ読み取り可能な記録媒体、例えば、命令を有するメモリ７０４をさらに提供する。前記命令は、装置７００のプロセッサー７２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（商標）ディスク及び光データメモリ等であってもよい。
【００８０】
また、非一時的コンピュータ読み取り可能な記録媒体は、前記記録媒体における命令がモバイル端末のプロセッサーにより実行される場合、移動端末がアプリメッセージの表示方法を実行する。前記方法は、
予め設定された時間間隔で、少なくとも一つのアプリに未読メッセージが存在するかを検出し、
未読メッセージが存在する特定のアプリが検出された場合、所定の順番に従って、それぞれの特定のアプリのアプリメッセージを排列し、
排列されたそれぞれの特定のアプリのアプリメッセージを特定画面に表示する。
【００８１】
好ましくは、前記所定の順番に従って、それぞれの特定のアプリのアプリメッセージを排列するステップは、
それぞれの特定のアプリに対して、前記特定のアプリが所属する特定のアプリジャンルを確定するステップと、
予め設置されたアプリジャンルと優先順位との対応関係を検索し、前記特定のアプリジャンルに対応する優先順位を取得するステップと、
それぞれの特定のアプリに対応する優先順位によって、それぞれの特定のアプリのアプリメッセージを排列するステップと、を含む。
【００８２】
好ましくは、排列されたそれぞれの特定のアプリのアプリメッセージを特定画面に表示するステップは、
端末が現在スクリーンロックが解除された状態にある時、ユーザーのジェスチャ軌跡を取得するステップと、
ユーザーのジェスチャ軌跡が予め設置された特定ジェスチャ軌跡とマッチングされる時、排列されたそれぞれの特定のアプリのアプリメッセージを、透明度が所定の閾値である特定画面に表示するステップと、を含み、特定画面は端末におけるあらゆる画面の最前方に表示する。
【００８３】
好ましくは、排列されたそれぞれの特定のアプリのアプリメッセージを特定画面に表示するステップは、
端末が現在スクリーンロック状態にある時、ロック中の画面における特定アイコンに対するタップ操作が検出されると、一つのアプリディスプレイウィンドウを作成するステップと、
排列されたそれぞれの特定のアプリのアプリメッセージを前記アプリディスプレイウィンドウに表示させ、アプリディスプレイウィンドウはロック中の画面に位置するステップと、を含む。
【００８４】
好ましくは、所定の順番に従ってそれぞれの特定のアプリのアプリメッセージを排列する前に、前記方法は、
複数のアプリジャンルを設置するステップと、
複数のアプリジャンルに優先順位を設置するステップと、を含む。
【００８５】
好ましくは、排列されたそれぞれの特定のアプリのアプリメッセージを特定画面に表示するステップは、
端末に複数のアプリアイコン表示画面が存在する場合、排列されたそれぞれの特定のアプリのアプリメッセージを、最前方のアプリアイコン表示画面に表示するステップ、又は、
複数のアプリアイコン表示画面がら特定のアプリアイコンの放置領域を一つ選択し、排列されたそれぞれの特定のアプリのアプリメッセージを前記放置領域に表示するステップを含む。
【００８６】
本発明の実施例に提供される非一時的コンピュータ読み取り可能な記録媒体は、予め設定された時間間隔で、少なくとも一つのアプリに未読メッセージが存在するかを検出し、未読メッセージが存在する特定のアプリが検出された場合、所定の順番に従って、それぞれの特定のアプリのアプリメッセージを排列し、排列されたそれぞれの特定のアプリのアプリメッセージを特定画面に表示する。所定の順番に従って、未読メッセージが存在するアプリのアプリメッセージを排列し、あらゆるアプリメッセージを特定画面に一括して表示できるため、このようなアプリメッセージ表示方式はスマート的であり、ユーザーが未読メッセージのお知らせを有するアプリを容易にチェックすることができ、手間を取らず、ユーザーがあらゆるアプリアイコン表示画面をチェックする必要がなくなり、ユーザーの体験性が高い。
【００８７】
当業者は、本願明細書を考慮し、本願明細書に開示された発明を実践した後、本発明の他の実施例を容易に想到し得る。本願は、本発明に対する任意の変形、用途又は適応的な変更をも含むことにその旨がある。これらの変形、用途又は適当的な変更は、本発明の一般的な原理に従い、本願明細書に開示されていない本分野の公知常識又は慣用的技術手段を含む。明細書及び実施例は例示的なものに過ぎない。本発明の範囲及び精神は特許請求の範囲により限定される。
【００８８】
なお、本発明は、上述の説明及び図面に示された構成に限らず、その範囲から逸脱しない範囲で各種の補正及び変更を実施することができる。本発明の範囲は、特許請求の範囲のみに限定される。
【００８９】
本願は、出願番号が２０１５１０１２１１７０.Ｘであり、出願日が２０１５年３月１８日である中国特許出願に基づいて優先権を請求し、該中国特許出願の内容の全てを本願に援用する。 
【図１】
0006439038.tif 000003
【図２】
0006439038.tif 000004
【図３】
0006439038.tif 000005
【図４】
0006439038.tif 000006
【図５】
0006439038.tif 000007
【図６】
0006439038.tif 000008
【図７】
0006439038.tif 000009